(57)【特許請求の範囲】
【請求項１】
屋根パネル上の一部分に太陽電池パネルが取り付けられ、前記屋根パネルの残りの部分に前記家屋構造部としての屋根材が取り付けられ、前記太陽電池パネルと前記屋根材との対向縁部間にシール手段が設けられた屋根パネルの防水構造であって、
前記太陽電池パネルは、格子状のフレームに多数の太陽電池モジュールを保持させたもので、前記シール手段は、太陽電池パネルの縁部の上を覆うカバーパネルと、屋根材の縁部から太陽電池パネルの縁部まで延設された捨水切パネルと、前記太陽電池パネルの縁部から前記捨水切パネルの上方まで延設された水切カバーパネルであり、カバーパネルは、前記フレームの縦桟の太陽電池パネル側の側面に沿って上方に延びる起立部と、起立部の下端から太陽電池パネル側に向かって順次高くなる階段状部を有し、起立部と階段状部との間には屋根傾斜面方向に延びる溝が形成されていることを特徴とする屋根パネルの防水構造。
【請求項２】
前記捨水切パネルは前記屋根材の前記縁部と前記屋根パネルとの間に沿って延び且つ前記縦桟の屋根材側の側面に沿って起立し、前記水切カバーパネルは前記太陽電池パネルの縁部から前記屋根材の縁部上に延設されていることを特徴とする請求項１に記載の屋根パネルの防水構造。
【請求項３】
太陽電池パネルが設けられた屋根パネルの縁部から家屋構造部として縦壁が起立し、前記太陽電池パネルと前記縦壁との対向縁部間にシール手段が設けられた屋根パネルの防水構造であって、
前記太陽電池パネルは屋根パネルの縁部に沿うフレームに多数の太陽電池モジュールを保持させたもので、前記シール手段は、太陽電池パネルの縁部の上を覆うカバーパネルと、縦壁下部と前記カバーパネルとの間を覆う水切カバーパネルを有し、カバーパネルは、前記フレームの縦桟の太陽電池パネル側の側面に沿って上方に延びる起立部と、起立部の下端から太陽電池パネル側に向かって順次高くなる階段状部を有し、起立部と階段状部との間には屋根傾斜面方向に延びる溝が形成されていることを特徴とする屋根パネルの防水構造。
【請求項４】
前記太陽電池モジュールと前記フレームとの接合部はシール部材及び化粧部材を兼用する前記カバーパネルでカバーされ、前記縦壁には自由端部が前記カバーパネルの上方まで延設された水切カバーパネルが壁面に沿って流下させられる雨水を前記起立部を越えて前記水切カバーパネル上に案内可能に取り付けられていることを特徴とする請求項３に記載の屋根パネルの防水構造。
【発明の詳細な説明】
【０００１】
【産業上の利用分野】
この発明は、太陽電池パネルを有する屋根パネルの防水構造に関するものである。
【０００２】
【従来の技術】
近年、複数の太陽電池パネルを家屋の屋根上に並設して発電させ、この太陽電池パネルからの電力を利用することにより、太陽エネルギーを有効に利用することが行われている。この屋根上に設置される太陽電池パネルは複数の太陽電池モジュールを接合してユニット化したものである（例えば、特開平３−１９９５６６号公報参照）。
【０００３】
【発明が解決しようとする課題】
ところで、この様な太陽電池パネルを屋根上に設置する場合、この太陽電池パネルを屋根材上に設置するのではなく屋根材兼用として屋根フレーム上に直接設置することが考えられる。即ち、太陽電池パネルが屋根パネルに取り付けられた屋根パネル、或は太陽電池パネル及び屋根材が屋根パネルに取り付けられた屋根パネルを設けて、この屋根パネルを屋根フレーム上に取り付けることが考えられる。
【０００４】
この場合、太陽電池パネルと屋根材との間のシール、或は、屋根パネルと起立する壁との間のシールをするための構造が簡単で、しかも、シールのための工数が少ないのが望ましい。
【０００５】
そこで、この発明は、この要望に沿うもので、太陽電池パネルと屋根材との間のシール、或は、起立する壁との間のシールをするための構造が簡単で、しかも、シールのための工数が少ない屋根パネルの防水構造を提供することを目的とするものである。
【０００６】
【課題を解決するための手段】
この目的を達成するため、請求項１の発明は、屋根パネル上の一部分に太陽電池パネルが取り付けられ、前記屋根パネルの残りの部分に前記家屋構造部としての屋根材が取り付けられ、前記太陽電池パネルと前記屋根材との対向縁部間にシール手段が設けられた屋根パネルの防水構造であって、前記太陽電池パネルは、格子状のフレームに多数の太陽電池モジュールを保持させたもので、前記シール手段は、太陽電池パネルの縁部の上を覆うカバーパネルと、屋根材の縁部から太陽電池パネルの縁部まで延設された捨水切パネルと、前記太陽電池パネルの縁部から前記捨水切パネルの上方まで延設された水切カバーパネルであり、カバーパネルは、前記フレームの縦桟の太陽電池パネル側の側面に沿って上方に延びる起立部と、起立部の下端から太陽電池パネル側に向かって順次高くなる階段状部を有し、起立部と階段状部との間には屋根傾斜面方向に延びる溝が形成されていることを特徴とする。
【０００７】
請求項２の発明は、請求項１に記載の屋根パネルの防水構造において、前記捨水切パネルは前記屋根材の前記縁部と前記屋根パネルとの間に沿って延び且つ前記縦桟の屋根材側の側面に沿って起立し、前記水切カバーパネルは前記太陽電池パネルの縁部から前記屋根材の縁部上に延設されていることを特徴とする。
【０００８】
請求項３の発明は、太陽電池パネルが設けられた屋根パネルの縁部から家屋構造部として縦壁が起立し、前記太陽電池パネルと前記縦壁との対向縁部間にシール手段が設けられた屋根パネルの防水構造であって、前記太陽電池パネルは屋根パネルの縁部に沿うフレームに多数の太陽電池モジュールを保持させたもので、前記シール手段は、太陽電池パネルの縁部の上を覆うカバーパネルと、縦壁下部と前記カバーパネルとの間を覆う水切カバーパネルを有し、カバーパネルは、前記フレームの縦桟の太陽電池パネル側の側面に沿って上方に延びる起立部と、起立部の下端から太陽電池パネル側に向かって順次高くなる階段状部を有し、起立部と階段状部との間には屋根傾斜面方向に延びる溝が形成されていることを特徴とする。
【０００９】
請求項４の発明は、請求項３に記載の屋根パネルの防水構造において、太陽電池パネルは屋根パネルの縁部に沿うフレームに多数の太陽電池モジュールを保持させたもので、前記太陽電池モジュールと前記フレームとの接合部はシール部材及び化粧部材を兼用する前記カバーパネルでカバーされ、前記縦壁には自由端部が前記カバーパネルの上方まで延設された水切カバーパネルが壁面に沿って流下させられる雨水を前記起立部を越えて前記水切カバーパネル上に案内可能に取り付けられていることを特徴とする。
【００１０】
【発明の実施の形態】
以下、この発明の実施の形態を図に基づいて説明する。
【００１１】
＜第１実施例＞
図１(a) において、１は建物の奥行きの狭い手前側の家屋部、２は建物の奥行きの広い奥側の家屋部、３は家屋部１の外壁パネル、４は家屋部２の縦壁（家屋構造物）としての妻壁パネル（妻壁）である。この妻壁パネル４は、家屋部１の縁部から垂直に起立していると共に、図４，図５に示した様に、下地合板４ａと、下地合板４ａに固定された外壁４ｂを有する。そして、下地合板４ａの下部には外壁４ｂの下縁に臨む挿入空間４ｃが形成されている。
【００１２】
更に、図１において、６は家屋部１の屋根パネル、７は屋根パネル６の一部である太陽電池パネル組立体である。この太陽電池パネル組立体７は、図１(a) ，(b) に示した様に、太陽電池付屋根パネル（太陽電池パネル）８，９と、太陽電池付屋根パネル８，９同士を接合するユニット接合体（ユニットパネル保持材）１０を有する。
【００１３】
また、太陽電池付屋根パネル８は、複数の太陽電池付屋根パネル（太陽電池パネル）８ａ，８ｂと、隣接する太陽電池付屋根パネル９ａ，９ｂ同士を接合するパネル接合体（パネル保持部材）１１を有する。
【００１４】
太陽電池付屋根パネル８ａは、図３に示した様に、屋根パネル１２上に取り付けられたシール用のルーフィング１３と、ルーフィング１３上の一部分に取り付けられた太陽電池パネル１４と、ルーフィング１３の残りの部分に家屋構造部として取り付けられた屋根材１５を有する（図２参照）。
【００１５】
この太陽電池パネル１４は、図１(b) に示した様に、格子状のフレーム１６と、フレーム１６に保持された多数の太陽電池モジュール１７を有する。そして、このフレーム１６の縦フレーム１６ａと屋根材１５との間には図２，３に示した様にシール手段１８（図１では省略）が介装されている。この縦フレーム１６ａは、図３に示した様に、ルーフィング１３の縁部上に端縁がずれた状態で固定された幅広の縦桟１９と、縦桟１９の一縁部近傍上に固定された小幅の合板２０と、縦桟１９の他縁部上に固定された小幅で合板２０よりも高さが高い縦桟２１を有する。
【００１６】
また、太陽電池パネル１４は、フレーム１６内においてルーフィング１３上に固着され且つ縦フレーム１６ａ上まで延設された下地パネル２２と、太陽電池モジュール１７の縁部を保持させる保持部材２３と、この保持部材２３を合板２０，縦桟１９に固定しているビス２４と、保持部材２３と下地パネル２２との間に介装されたシール部材２５を有する。尚、下地パネル２２の縦フレーム１６ａに沿う階段状部２２ａは、水がビス２４側に移動するのを阻止するためのシール性を高めている。
【００１７】
上述のシール手段１８は、縦桟１９上には保持部材２３の上を覆うカバーパネル２６と、縦桟１９と屋根材１５の対向縁部間に介装された捨水切パネル２７と、縦桟２１上に固定された水切カバーパネル２８を有する。
【００１８】
カバーパネル２６は、縦桟２１の一側面に沿って上方に延びる起立部２６ａと、起立部２６ａの下端から保持部材２３側に向って順次高くなる階段状部２６ｂを有する。そして、この起立部２６ａと階段上部２６ｂとの間には屋根斜面方向に延びる溝２６ｃが形成されている。
【００１９】
また、捨水切パネル２７は屋根材１５の縁部と屋根パネル１２との間に介装され且つ太陽電池パネル１４の縁部側に向けて延びる下パネル部２７ａと、太陽電池パネル１４の縦桟１９，２１の他側面に沿って上方に起立する起立部２７ｂを有する。しかも、下水平部２７ａには、屋根パネル１２の斜面方向に延びる膨出突部２７ｃ，２７ｄが形成されていると共に、縁部に折り返し部２７ｅが形成されている。
【００２０】
更に、水切カバーパネル２８は、太陽電池パネル１４の縁部から屋根材１５の縁部上に延設されたカバー部２８ａと、下端が溝２６ｃの底部まで垂下させられた垂下部２８ｂを有する。従って、水切カバーパネル２８のカバー部２８ａ及び屋根材１５の上から水切カバーパネル２８と捨水切パネル２７の下パネル部２７ａとの間に侵入した水は、膨出突部２７ｃ，２７ｄ及び折り返し部２７ｅの作用により、下パネル部２７ａの縁部を越えて屋根材１５下方のルーフィング１３上に侵入することなく、下パネル部２７ａ上を斜面に沿って流下させられることになる。また、水切カバーパネル２８及び階段上部２６ｂ上から溝２６ｃに流下した雨水は溝２６ｃに沿って流下させられることになる。
【００２１】
太陽電池付屋根パネル９ｂは、妻壁パネル４に隣接させられていると共に、屋根パネル１２上に取り付けられたシール用のルーフィング１３と、ルーフィング１３上の一部分に取り付けられた太陽電池パネル３０を有する。
【００２２】
この太陽電池パネル３０は、方形枠状のフレーム３１と、フレーム３１に保持された多数の太陽電池モジュール３２を有する。そして、このフレーム３１の縦フレーム３１ａと妻壁パネル４の下縁部との間にはシール手段３３が介装されている。
【００２３】
縦フレーム３１ａは、図５に示した様に、ルーフィング１３の縁部上に固定された幅広の縦桟３４と、縦桟３４の一縁部上に端縁がずれた状態で固定された小幅の合板３５と、縦桟３４の他縁部に密接してルーフィング１３上に固定され且つ小幅で縦桟３４よりも高さが高い縦桟３６を有する。
【００２４】
また、太陽電池パネル３０は、フレーム３１内においてルーフィング１３上に固着され且つ縦フレーム３１ａ上まで延設された下地パネル３７と、太陽電池モジュール３４の縁部を保持させる保持部材３８と、この保持部材３８を合板３５，縦桟３４に固定しているビス３９と、保持部材３８と下地パネル３７との間に介装されたシール部材４０を有する。尚、下地パネル３７の縦フレーム３１ａに沿う階段状部３７ａは、水がビス３９側に移動するのを阻止するためのシール性を高めている。
【００２５】
上述のシール手段３３は、太陽電池モジュール３４と縦フレーム３１ａとの接合部、すなわち保持部材３８の上を覆ってシール部材及び化粧部材を兼用するカバーパネル４１と、妻壁パネル４の下部とカバーパネル４１との間を覆う水切カバーパネル４２を有する。
【００２６】
カバーパネル４１は、縦桟３６の一側面に沿って上方に延びる起立部４１ａと、起立部４１ａの下端から保持部材３８側に向って順次高くなる階段状部４１ｂを有する。そして、この起立部４１ａと階段上部４１ｂとの間には屋根斜面方向に延びる溝４１ｃが形成されている。
【００２７】
また、水切カバーパネル４２は、縦桟３６上に取り付けられていると共に、カバーパネル４１の階段上部４１ｂの最上部を覆うカバー部（自由端部）４２ａと、妻壁パネル４の下地合板４ａに沿って外壁４ｂの下縁近傍まで延びる起立部４２ｂと、起立部４２ｂの基部から分岐して上方に外壁４ｂの下縁近傍まで延びる起立部４２ｃと、起立部４２ｃの上端から妻壁パネル４の挿入空間４ｃ内に傾斜して挿入された傾斜壁４２ｄと、傾斜壁４２ｄの上端に設けられた折り返し部４２ｅを有する。そして、傾斜壁４２ｄは外壁４ｂの下縁に沿って弾接させられている。
【００２８】
従って、外壁４ｂ等に沿って流下させられる雨水は、水切カバーパネル４２の傾斜壁４２ｄ，起立壁４２ｃに沿って下方に流下させられた後に、カバーパネル４１の階段上部４１ｂ上に流下させられた後、カバーパネル４１の溝４１ｃ内に捕集されて、溝４１ｃ内を屋根傾斜に沿って下方に流下させられる。また、仮に雨水が傾斜壁４２ｄに沿って挿入空間４ｃ側に侵入しても、雨水は折り返し部４２ｅの作用により、家屋部２内に侵入するのが阻止される。
【００２９】
【発明の効果】
以上説明したように、請求項１の発明は、屋根パネル上の一部分に太陽電池パネルが取り付けられ、前記屋根パネルの残りの部分に前記家屋構造部としての屋根材が取り付けられ、前記太陽電池パネルと前記屋根材との対向縁部間にシール手段が設けられた屋根パネルの防水構造であって、前記シール手段は、太陽電池パネルの縁部の上を覆うカバーパネルと、屋根材の縁部から太陽電池パネルの縁部まで延設された捨水切パネルと、前記太陽電池パネルの縁部から前記捨水切パネルの上方まで延設された水切カバーパネルである構成としたので、太陽電池パネルと家屋構造物との間のシールをするための構造が簡単で、しかも、シールのための工数が少なくできる。
【００３０】
請求項２の発明は、前記捨水切パネルは前記屋根材の前記縁部と前記屋根パネルとの間に沿って延び且つ前記縦桟の屋根材側の側面に沿って起立し、前記水切カバーパネルは前記太陽電池パネルの縁部から前記屋根材の縁部上に延設されている構成としたので、捨水切パネルを屋根パネル上に取り付けた後、屋根材を捨水切パネルの縁部上に設置して、水切カバーパネルで捨水切パネル及び屋根材の縁部を覆うのみで、太陽電池パネルと屋根材との隣接部の防水を簡単に行うことができる。しかも、この構造により、太陽電池パネルと屋根材を屋根パネルに取り付けた屋根パネルを工場等で生産する際に、即ち工場で太陽電池パネルと屋根材を屋根パネルに取り付ける際に、太陽電池パネルと屋根材との間の防水も行うことができるので、この防水の為の作業を家屋の屋根上で行う必要がなく安全に行うことができる。
【００３１】
請求項３の発明は、太陽電池パネルが設けられた屋根パネルの縁部から家屋構造部として縦壁が起立し、前記太陽電池パネルと前記縦壁との対向縁部間にシール手段が設けられた屋根パネルの防水構造であって、前記シール手段は、太陽電池パネルの縁部の上を覆うカバーパネルと、縦壁下部と前記カバーパネルとの間を覆う水切カバーパネルを有する構成としたので、太陽電池パネルと起立する壁との間のシールをするための構造が簡単で、しかも、シールのための工数が少なくできる。
【００３２】
請求項４の発明は、前記太陽電池モジュールと前記フレームとの接合部はシール部材及び化粧部材を兼用する前記カバーパネルでカバーされ、前記縦壁には自由端部が前記カバーパネルの上方まで延設された水切カバーパネルが壁面に沿って流下させられる雨水を前記起立部を越えて前記水切カバーパネル上に案内可能に取り付けられている構成としたので、太陽電池パネルに隣接して縦壁がある場合でも、この太陽電池パネルと縦壁との間の防水を簡単な構造で行うことができる。
【図面の簡単な説明】
【図１】(a) はこの発明に係る太陽電池付屋根パネルの防水構造を備える家屋の斜視図、(b) は(a) の太陽電池付屋根パネルの分解斜視図である。
【図２】図１(b) のＡ−Ａ線にそう断面図である。
【図３】図２の要部拡大図である。
【図４】図１(a) のＢ−Ｂ線に沿う断面図である。
【図５】図４の要部拡大図である。
【符号の説明】
４…妻壁パネル（家屋構造部）
１４…太陽電池パネル
１５…屋根材（家屋構造部）
１６…フレーム
１８…シール手段
２６…カバーパネル
２７…捨水切パネル
２７ｂ…起立部
２８…水切カバーパネル
３０…太陽電池パネル
３３…シール手段
４１…カバーパネル
４１ａ…起立部
４２…水切カバーパネル
【図１】
0003554660.tif 000002
【図２】
0003554660.tif 000003
【図３】
0003554660.tif 000004
【図４】
0003554660.tif 000005
【図５】
0003554660.tif 000006